(57)【要約】      （修正有）【課題】良好に作動させることができるプッシュプッシュ機構及びそれを備えたリッド開閉装置を提供する。【解決手段】プッシュプッシュ機構では、第１傾斜カム面４２Ｆ１及び第２傾斜カム面４２Ｆ２における、径方向内側の内端部４２Ｊが径方向外側の外端部４２Ｋに対して、押込方向（車幅方向内側）に配置されている。このため、カムフォロア４６の摺動面４６Ａ１が第１傾斜カム面４２Ｆ１（第２傾斜カム面４２Ｆ２）に当接するときには、摺動面４６Ａ１が、第１傾斜カム面４２Ｆ１（第２傾斜カム面４２Ｆ２）の内端部４２Ｊに当接する。これにより、摺動子４６Ａを第１傾斜カム面４２Ｆ１（第２傾斜カム面４２Ｆ２）に良好に摺動させて、カムフォロア４６を周方向一方側へ良好に回転させることができる。【選択図】図７
2019108697.tif 000002
【特許請求の範囲】
【請求項１】
軸方向一方側を突出方向とし且つ軸方向他方側を押込方向とするプッシュロッドを押込位置に維持可能とし、前記押込位置において押込方向へ押込まれた前記プッシュロッドを突出方向へ押し出して突出位置に配置させるプッシュプッシュ機構であって、
前記プッシュロッドと、
前記プッシュロッドの軸方向他方側に配置された筒状のホルダと、
前記ホルダ内に収容され、摺動子を有すると共に、前記プッシュロッドと連動して作動するカムフォロアと、
前記カムフォロアを突出方向へ付勢するスプリングと、
前記ホルダの内周部に設けられ、前記ホルダの軸方向において相対移動可能に且つ周方向において相対回転不能に前記摺動子が挿入される複数のカム溝と、
前記ホルダの周方向に隣り合う前記カム溝の間に設けられ、前記カム溝から押込方向へ離脱した前記カムフォロアの突出方向への移動時に前記摺動子が当接することで前記カムフォロアを周方向一方側へ回転させる一対の傾斜カム面と、一対の前記傾斜カム面の間に設けられ且つ前記摺動子が当接することで前記カムフォロアを前記押込位置に保持する保持カム面と、を有する第１カム面と、
前記カム溝から押込方向へ離脱した前記カムフォロアの押込方向への移動時に前記摺動子が当接することで前記カムフォロアを周方向一方側へ回転させる第２カム面と、
を備え、
前記傾斜カム面における前記ホルダの径方向内側部分が、前記傾斜カム面における前記ホルダの径方向外側部分よりも押込方向に位置しており、前記傾斜カム面における前記ホルダの径方向内側部分に前記摺動子が当接することを特徴とするプッシュプッシュ機構。
【請求項２】
請求項１に記載のプッシュプッシュ機構を備えたリッド開閉装置であって、
前記プッシュロッドの軸方向一端部に設けられ、フューエルリッドを係止する係止部と、
前記プッシュロッドを軸回りに回転可能に前記プッシュロッドに連結され、前記プッシュロッドを回転させることで前記係止部が前記フューエルリッドを係止するロック姿勢と前記係止部の係止状態を解除するアンロック姿勢との間を遷移させる駆動機構と、
を備え、
前記プッシュロッド、前記カムフォロア、及び前記スプリングが同軸上に配置されており、
前記カムフォロアには、前記スプリングの一端を受けるスプリング受け部が設けられていることを特徴とするリッド開閉装置。
【発明の詳細な説明】
【技術分野】
【０００１】
本発明は、プッシュプッシュ機構、及びそれを備えたリッド開閉装置に関する。
【背景技術】
【０００２】
下記特許文献１に記載のリッド開閉装置では、所謂プッシュプッシュ機構によって、フューエルリッドを開閉している。具体的には、フューエルリッドを閉じる方向に押込むことで、プッシュプッシュ機構のプッシュロッドを押込位置に保持してフューエルリッドを閉じる。一方、フューエルリッドを再度押込むことで、プッシュロッドを押込位置から突出位置へ押出してフューエルリッドを開く。
【０００３】
このプッシュプッシュ機構について簡単に説明すると、プッシュプッシュ機構は、上記プッシュロッドと、摺動子を有するフォロアと、フォロアを収容する収容部を有するケースと、スプリングと、を含んで構成されている。そして、押込位置では、ケースに設けられたカム面の段差によって摺動子が保持されて、フォロアの突出方向側への移動が制限されている。一方、押込位置おいてプッシュロッドが押込まれたときには、カム面の段差による摺動子の保持状態が解除される。そして、プッシュロッドの押込みが解除されると、スプリングの付勢力によって摺動子がカム面に沿って摺動する。これにより、フォロアが回転して、摺動子がケースのフォロアガイド部に移動することで、プッシュロッド及びフォロアの軸方向の移動が許容されて、プッシュロッドが突出位置へ押出される。
【０００４】
ところで、プッシュプッシュ機構において、操作性を向上するとの観点からすると、押込位置におけるプッシュロッドの押込量を小さくすることが好ましい。すなわち、カム面における段差の長さを短くすることが好ましい。
また、プッシュプッシュ機構では、簡易な構造にするとの観点からすると、カム面の数を少なくすることが望ましい。
【先行技術文献】
【特許文献】
【０００５】
【特許文献１】特開２０１４−１７３４２２号公報
【発明の概要】
【発明が解決しようとする課題】
【０００６】
しかしながら、カム面の段差の長さを短くし、且つカム面の数を小さくすると、収容部の周方向におけるカム面の長さが長くなり、収容部の径方向から見たカム面の傾斜角度が小さくなる（緩やかになる）傾向になる。そして、カム面の傾斜角度が小さくなると、摺動子がカム面に沿って摺動し難くなり、フォロアが回転しなくなる可能性がある。すなわち、プッシュプッシュ機構が良好に作動しなくなる虞がある。
【０００７】
本発明は、上記事実を考慮して、良好に作動させることができるプッシュプッシュ機構及びそれを備えたリッド開閉装置を提供することを目的とする。
【課題を解決するための手段】
【０００８】
形態１：本発明の１又はそれ以上の実施形態は、軸方向一方側を突出方向とし且つ軸方向他方側を押込方向とするプッシュロッドを押込位置に維持可能とし、押込位置において押込方向へ押込まれた前記プッシュロッドを突出方向へ押し出して突出位置に配置させるプッシュプッシュ機構であって、前記プッシュロッドと、前記プッシュロッドの軸方向他方側に配置された筒状のホルダと、前記ホルダ内に収容され、摺動子を有すると共に、前記プッシュロッドと連動して作動するカムフォロアと、前記カムフォロアを突出方向へ付勢するスプリングと、前記ホルダの内周部に設けられ、前記ホルダの軸方向において相対移動可能に且つ周方向において相対回転不能に前記摺動子が挿入される複数のカム溝と、前記ホルダの周方向に隣り合う前記カム溝の間に設けられ、前記カム溝から押込方向へ離脱した前記カムフォロアの突出方向への移動時に前記摺動子が当接することで前記カムフォロアを周方向一方側へ回転させる一対の傾斜カム面と、一対の前記傾斜カム面の間に設けられ且つ前記摺動子が当接することで前記カムフォロアを前記押込位置に保持する保持カム面と、を有する第１カム面と、前記カム溝から押込方向へ離脱した前記カムフォロアの押込方向への移動時に前記摺動子が当接することで前記カムフォロアを周方向一方側へ回転させる第２カム面と、を備え、前記傾斜カム面における前記ホルダの径方向内側部分が、前記傾斜カム面における前記ホルダの径方向外側部分よりも押込方向に位置しており、前記傾斜カム面における前記ホルダの径方向内側部分に前記摺動子が当接することを特徴とするプッシュプッシュ機構である。
【０００９】
形態２：本発明の１又はそれ以上の実施形態は、上記構成のプッシュプッシュ機構を備えたリッド開閉装置であって、前記プッシュロッドの軸方向一端部に設けられ、フューエルリッドを係止する係止部と、前記プッシュロッドを軸回りに回転可能に前記プッシュロッドに連結され、前記プッシュロッドを回転させることで前記係止部が前記フューエルリッドを係止するロック姿勢と前記係止部の係止状態を解除するアンロック姿勢との間を遷移させる駆動機構と、を備え、前記プッシュロッド、前記カムフォロア、及び前記スプリングが同軸上に配置されており、前記カムフォロアには、前記スプリングの一端を受けるスプリング受け部が設けられていることを特徴とするリッド開閉装置である。
【発明の効果】
【００１０】
本発明の１又はそれ以上の実施形態によれば、プッシュプッシュ機構を良好に作動させることができる。
【図面の簡単な説明】
【００１１】
【図１】図１（Ａ）は、本実施の形態のプッシュプッシュ機構が適用されたリッド開閉装置の全体を示す斜視図であり、図１（Ｂ）は、リッド開閉装置のカバーを取外した状態を示す車両後側から見た側面図である。
【図２】図２は、図１（Ａ）に示されるリッド開閉装置の分解斜視図である。
【図３】図３（Ａ）は、押込位置においてプッシュロッドがホルダに挿入された状態を示す一部破断した側面図であり、図３（Ｂ）は、プッシュロッドとプッシュプッシュ機構との連結状態を、ホルダを取外した状態で示す側面図である。
【図４】図４（Ａ）は、図２に示されるロータを軸方向一方側から見た正面図であり、図４（Ｂ）は、ロータの軸方向一方側端部を示す斜視図である。図４（Ｃ）は、ロータを軸方向他方側から見た裏面図であり、図４（Ｄ）は、ロータの軸方向他方側端部を示す斜視図である。
【図５】図５（Ａ）は、図２に示されるホルダを軸方向一方側から見た正面図であり、図５（Ｂ）は、ホルダを軸方向一方側端部を示す斜視図である。
【図６】図６（Ａ）は、ホルダの軸方向一方側端部を示す斜視図であり、図６（Ｂ）は、ホルダの軸方向他方側端部を示す斜視図である。
【図７】図７（Ａ）は、ホルダのホルダ側カム面を示す一部破断した断面図であり、図７（Ｂ）は、図７（Ａ）に示される第１傾斜カム面をホルダの周方向から見た拡大した断面図（図７（Ａ）の７Ｂ−７Ｂ線拡大断面図）である。
【図８】図８（Ａ）は、図２に示されるスライダを示す軸方向一方側端部を示す斜視図であり、図８（Ｂ）は、スライダの軸方向他方側端部を示す斜視図である。
【図９】図９は、突出位置におけるプッシュロッドとプッシュプッシュ機構との連結状態を示す側断面図である。
【図１０】図１０（Ａ）は、図２に示されるカムフォロアを示す軸方向一方側から見た正面図であり、図１０（Ｂ）は、カムフォロアの斜視図である。
【図１１】図１１は、図２に示されるエマージェンシー機構を示す車幅方向外側から見た断面図（図１４（Ｂ）の１１-１１線断面図）である。
【図１２】図１２（Ａ）は、図１１に示される作動溝周辺を、エマージェンシーケーブルを取外した状態で示す斜視図であり、図１２（Ｂ）は、図１２（Ａ）に示される作動溝周辺にエマージェンシーケーブルを配策した状態を示す斜視図である。
【図１３】図１３（Ａ）は、図１に示されるプッシュロッドのアンロック姿勢を示す正面図であり、図１３（Ｂ）は、プッシュロッドのロック姿勢を示す正面図である。
【図１４】図１４（Ａ）は、図１に示されるリッド開閉装置のプッシュロッドが突出位置に配置された状態を示す側面図であり、図１４（Ｂ）は、図１４（Ａ）の状態からプッシュロッドが押込方向に押込まれて押込位置に配置された状態を示す側面図である。
【図１５】図１５（Ａ）は、アンロック姿勢におけるプッシュロッドとホルダとの連結状を示す斜視図であり、図１５（Ｂ）は、ロック姿勢におけるプッシュロッドとホルダとの連結状態を示す斜視図である。
【図１６】図１６は、プッシュプッシュ機構の作動を説明するための説明図である。図１６（Ａ）は、押込位置においてカムフォロアの摺動子がホルダの保持カム面に係止された状態を示し、図１６（Ｂ）は、摺動子の保持カム面との係止状態が解除された状態を示し、図１６（Ｃ）は、摺動子がカム溝に到達した状態を示し、図１６（Ｄ）は、図１６（Ｃ）の状態からスライダ及びカムフォロアが突出位置に移動した状態を示している。図１６（Ｅ）は、突出位置から押込方向へ押込まれて、摺動子がカム溝を離脱した状態を示し、図１６（Ｆ）は、押込位置に再度配置されたときのカムフォロアの摺動子がホルダの保持カム面に係止した状態を示す。
【発明を実施するための形態】
【００１２】
以下、図面を用いて、本実施の形態に係るプッシュプッシュ機構４０が適用されたリッド開閉装置１０について説明する。図１４（Ａ）及び（Ｂ）に示されるように、リッド開閉装置１０は、車両（自動車）の給油口を開閉するフューエルリッド７０の開閉装置として構成されている。そして、図面において適宜示される矢印ＵＰ、矢印ＦＲ、矢印ＯＵＴは、それぞれ車両の車両上側、車両前側、車幅方向外側（車両左側）を示している。以下の説明において、上下、前後の方向を示して説明するときには、特に断りのない限り、車両上下、車両前後の方向を示すものとする。
【００１３】
図１（Ａ）及び（Ｂ）に示されるように、リッド開閉装置１０は、後側から見て、全体として前後方向を厚み方向とした略Ｃ字形ブロック状に形成されている。このリッド開閉装置１０は、リッド開閉装置１０の外郭を構成するケース１２と、ケース１２内に収容されたプッシュロッド２０、「駆動機構」としての電動駆動機構３０、及びプッシュプッシュ機構４０と、を含んで構成されている。また、リッド開閉装置１０は、緊急時にフューエルリッド７０の開閉を可能にするエマージェンシー機構６０を有している。以下、リッド開閉装置１０の各構成について説明する。
【００１４】
（ケース１２について）
図２にも示されるように、ケース１２は、前後方向に２分割されている。具体的には、ケース１２は、ケース１２の前側部分を構成するハウジング１４と、ケース１２の後側部分を構成するカバー１６と、によって構成されている。
【００１５】
ハウジング１４は、後側へ開放された略凹状を成すと共に、後側から見て、略Ｃ字形箱状に形成されている。ハウジング１４の下部には、後述する電動駆動機構３０のロータ３４及びプッシュプッシュ機構４０等を収容するための第１収容部１４Ａが形成されている。この第１収容部１４Ａは、車幅方向に延在されており、第１収容部１４Ａの底壁１４Ａ１が、後側へ開放された略半円状に湾曲されている。さらに、第１収容部１４Ａの車幅方向内側の端部は開放されている。
【００１６】
また、ハウジング１４の上部には、後述する電動駆動機構３０のモータ３２を収容するための第２収容部１４Ｂが形成されており、第２収容部１４Ｂは、上下方向に延在されている。第１収容部１４Ａと第２収容部１４Ｂとの間には、両者を連通するための連通溝１４Ｃが形成されている。さらに、第１収容部１４Ａの車幅方向外側の側壁には、ケース１２の内部と外部とを連通するための円形状の連通孔１４Ｅが貫通形成されている。この連通孔１４Ｅには、略円形リング状の防水キャップ１８が装着されている。
【００１７】
カバー１６は、前後方向を板厚方向とした蓋状に形成されて、後側から見て、ハウジング１４の開口部に対応した略Ｃ字形状に形成されている。そして、カバー１６が、ハウジング１４の開口部を閉塞するように、ハウジング１４にネジＳＣによって締結固定されている。
【００１８】
（プッシュロッド２０について）
図１〜図３、及び図９に示されるように、プッシュロッド２０は、車幅方向を軸方向とした略有底円筒状に形成されて、車幅方向内側へ開放されている。プッシュロッド２０の軸方向一方側（車幅方向外側）の部分は、ハウジング１４の連通孔１４Ｅ（防水キャップ１８）内を挿通しており、プッシュロッド２０は、軸方向に移動可能に、且つ、周方向に回転可能に、防水キャップ１８を介して連通孔１４Ｅに支持されている。そして、詳細については後述するが、図１４（Ｂ）に示されるプッシュロッド２０の位置を「押込位置」（広義には、「初期位置」と把握される位置である）と称し、押込位置では、プッシュロッド２０の先端部（軸方向一端部）が、ハウジング１４から車幅方向外側へ突出されている。また、図１４（Ａ）に示されるように、プッシュロッド２０が、押込位置から「突出方向」としての軸方向一方側へ移動したプッシュロッド２０の位置を「突出位置」と称し、突出位置では、プッシュロッド２０の大半がハウジング１４から車幅方向外側へ突出されている。
【００１９】
また、以下の説明では、図１３（Ｂ）の矢印Ａ方向側をプッシュロッド２０の周方向（軸回り）一方側とし、図１３（Ａ）の矢印Ｂ方向をプッシュロッド２０の周方向（軸回り）他方側とする。なお、ハウジング１４の第１収容部１４Ａにおける底壁１４Ａ１は、プッシュロッド２０の外周面と同心円状を成す円弧状に湾曲されている。
【００２０】
図１３及び図１４に示されるように、プッシュロッド２０の先端部には、係止部２０Ａが形成されており、係止部２０Ａはプッシュロッド２０の軸方向を板厚方向とした略トラック形プレート状に形成されている。また、係止部２０Ａの車幅方向内側には、プッシュロッド２０よりも小径のくびれ部２０Ｂが形成されている。
【００２１】
ここで、図１４に示されるように、プッシュロッド２０の車幅方向外側には、車両の給油口を開閉するためのフューエルリッド７０が設けられている。なお、本実施の形態では、フューエルリッド７０が車両の後部における車幅方向外側面（車両左側面）に配置されている。フューエルリッド７０の内側（プッシュロッド２０側）には、インナパネル７２が設けられており、インナパネル７２には、係止孔７２Ａが形成されている。この係止孔７２Ａは、車幅方向から見て、プッシュロッド２０の係止部２０Ａと相似形を成す略トラック形状に形成されており、係止部２０Ａが係止孔７２Ａ内に挿通可能に構成されている。
【００２２】
そして、詳細については後述するが、プッシュロッド２０の押込位置において、プッシュロッド２０の係止部２０Ａがフューエルリッド７０の係止孔７２Ａ内を挿通し且つくびれ部２０Ｂが係止孔７２Ａ内を挿入するときのプッシュロッド２０の姿勢（図１３（Ａ）に示される姿勢）をアンロック姿勢と称する。この状態では、係止部２０Ａと係止孔７２Ａの周縁部とが非係合状態になっており、フューエルリッド７０の突出方向側への移動が可能になっている。
また、アンロック姿勢からプッシュロッド２０が周方向他方側へ回転した姿勢（本実施の形態では、略９０度回転した姿勢）をロック姿勢（図１３（Ｂ）に示される姿勢）と称する。そして、ロック姿勢では、係止部２０Ａが係止孔７２Ａの周縁部と係合して、フューエルリッド７０を閉じた状態に係止する構成になっている。以下、便宜上、プッシュロッド２０が押込位置に配置され且つアンロック姿勢となる状態として説明する。
【００２３】
図２及び図３に示されるように、プッシュロッド２０の軸方向他方側の部分における外周部には、径方向外側へ突出された複数（本実施の形態では、３箇所）のロッド用ガイド突起２０Ｃが一体に形成されている。ロッド用ガイド突起２０Ｃは、プッシュロッド２０の周方向に等間隔（１２０度毎）に配置されている。ロッド用ガイド突起２０Ｃは、プッシュロッド２０の径方向から見て、略矩形ブロック状に形成されている。また、ロッド用ガイド突起２０Ｃにおけるプッシュロッド２０の軸方向他方側の両角部には、傾斜部２０Ｃ１がそれぞれ形成されており、傾斜部２０Ｃ１は、プッシュロッド２０の径方向から見て、プッシュロッド２０の軸方向他方側へ向かうに従い互いに接近する方向に傾斜されている。
【００２４】
また、プッシュロッド２０の軸方向他方側の端部における外周部には、径方向外側へ突出された規制突起２０Ｄが一体に形成されている。規制突起２０Ｄは、プッシュロッド２０の軸方向から見て、プッシュロッド２０の周方向に隣り合うロッド用ガイド突起２０Ｃの間に配置されている。規制突起２０Ｄは、プッシュロッド２０の径方向から見て、略矩形ブロック状に形成されている。また、規制突起２０Ｄにおけるプッシュロッド２０の軸方向他方側の角部には、傾斜部２０Ｄ１が形成されており、傾斜部２０Ｄ１は、プッシュロッド２０の径方向から見て、プッシュロッド２０の軸方向他方側へ向かうに従い規制突起２０Ｄの幅方向内側へ傾斜されている。
【００２５】
（電動駆動機構３０について）
図１（Ｂ）及び図２に示されるように、電動駆動機構３０は、モータ３２と、ロータ３４と、を含んで構成されている。
【００２６】
＜モータ３２について＞
モータ３２は、上下方向を軸方向として配置されており、モータ３２のモータ本体３２Ａが、ハウジング１４の第２収容部１４Ｂの内部に収容されている。モータ３２の出力軸３２Ｂは、モータ本体３２Ａから下側へ延出されて、ハウジング１４の連通溝１４Ｃ内に配置されると共に、第１収容部１４Ａにおいてプッシュロッド２０に対して後側に配置されている。すなわち、モータ３２の出力軸３２Ｂが、後側から見て、プッシュロッド２０と直交して配置されている。出力軸３２Ｂの外周部には、ウォームギヤ３２Ｃが形成されている。また、モータ３２は、車両の制御部８０に電気的に接続されており、制御部８０によってモータ３２が駆動する構成になっている。
【００２７】
＜ロータ３４について＞
ロータ３４は、車幅方向を軸方向とする略円筒状に形成されて、ハウジング１４における第１収容部１４Ａの車幅方向外側部分に回転可能に収容されている。具体的には、ロータ３４は、プッシュロッド２０と同軸上に配置されて、モータ３２の出力軸３２Ｂの前側に隣接して配置されている。また、ロータ３４内には、プッシュロッド２０が挿入されており、プッシュロッド２０の他端部がロータ３４から車幅方向内側へ突出されている。
【００２８】
図４にも示されるように、ロータ３４の内周部には、前述したプッシュロッド２０のロッド用ガイド突起２０Ｃに対応する位置において、３箇所のガイド溝３４Ａが形成されており、ガイド溝３４Ａは、ロータ３４の径方向内側へ開放されると共に、ロータ３４の軸方向に貫通している。そして、プッシュロッド２０のロッド用ガイド突起２０Ｃが、ガイド溝３４Ａ内に、軸方向に相対移動可能に且つ周方向に相対移動不能に挿入されている。これにより、ロータ３４が、軸方向に相対移動可能に、周方向に相対移動不能（一体移動可能）に、プッシュロッド２０に連結されている。
【００２９】
ロータ３４の車幅方向内側の端部における内周部には、プッシュロッド２０の規制突起２０Ｄに対応する位置において、規制溝３４Ｂが形成されている。規制溝３４Ｂは、ロータ３４の軸方向に延在される共に、ロータ３４の径方向内側及び車幅方向内側へ開放されている。そして、プッシュロッド２０が押込位置から突出位置へ移動すると、規制突起２０Ｄが規制溝３４Ｂ内に侵入するようになっている。また、規制突起２０Ｄが規制溝３４Ｂの一端部に当接することで、突出位置におけるプッシュロッド２０の軸方向一方側への移動が制限される構成になっている。
【００３０】
ロータ３４の軸方向中間部は、ウォームホイール部３４Ｃとされており、ウォームホイール部３４Ｃの外周部には、モータ３２のウォームギヤ３２Ｃと螺合するギヤが形成されている。これにより、モータ３２が駆動して、ロータ３４が軸回りに回転することで、プッシュロッド２０が、ロータ３４と一体に回転して、ロック姿勢とアンロック姿勢との間を遷移するようになっている。
【００３１】
また、ロータ３４の車幅方向外側端部（軸方向一端部）の外周部には、後述するエマージェンシー機構６０を構成する連結突起３４Ｅが形成されており、連結突起３４Ｅはロータ３４から径方向外側へ突出されている。また、ロータ３４の車幅方向外側端部の外周部には、当接片３４Ｆが一体に形成されている。当接片３４Ｆは、ロータ３４の軸方向から見て、略扇形状に形成されて、ロータ３４から径方向外側へ突出されている。この当接片３４Ｆは、連結突起３４Ｅに対してロータ３４の周方向に略１８０度離間して配置されている。
【００３２】
そして、図１１に示されるように、プッシュロッド２０のロック姿勢では、当接片３４Ｆが、ハウジング１４に設けられた第１ストッパ３６に当接して、ロータ３４の周方向他方側（図１１の矢印Ｂ方向側）の回転が制限される構成になっている。一方、プッシュロッド２０のアンロック姿勢では、当接片３４Ｆが、ハウジング１４に設けられた第２ストッパ３８に当接して、ロータ３４の周方向一方側（図１１の矢印Ａ方向側）の回転が制限される構成になっている。
【００３３】
（プッシュプッシュ機構４０について）
図２に示されるように、プッシュプッシュ機構４０は、ホルダ４２と、スライダ４４と、カムフォロア４６と、スプリング５０と、を含んで構成されて、ハウジング１４の第１収容部１４Ａ内に収容されている。そして、突出位置において、プッシュロッド２０が、「押込方向」としての軸方向他方側（車幅方向内側）へ押込まれることで、プッシュロッド２０がプッシュプッシュ機構４０によって押込位置に維持されるようになっている。一方、押込位置において、プッシュロッド２０が、押込方向へ再度押込まれることで、プッシュロッド２０がプッシュプッシュ機構４０によって突出方向へ押出されて突出位置に移動するようになっている。以下、プッシュプッシュ機構４０の各構成について説明する。
【００３４】
＜ホルダ４２について＞
図３（Ａ）、及び図５〜図７に示されるように、ホルダ４２は、車幅方向外側へ開放された略有底円筒状に形成されている。ホルダ４２は、ハウジング１４における第１収容部１４Ａの車幅方向内側部分に収容されて、ロータ３４に対して車幅方向内側に隣接して配置されている（図１（Ｂ）参照）。そして、ホルダ４２が、プッシュロッド２０と同軸上に配置されて、ネジＳＣによってカバー１６と共にハウジング１４に固定されている。
【００３５】
ホルダ４２では、軸方向中間部から開口側（突出方向側）の部分を第１ホルダ部４２Ａとしており、軸方向中間部から底壁側（押込方向側）の部分を第２ホルダ部４２Ｂとしている。そして、第１ホルダ部４２Ａの内径が第２ホルダ部４２Ｂの内径に比べて小さく設定されている。すなわち、第１ホルダ部４２Ａの内周部が、第２ホルダ部４２Ｂの内周面に対して径方向内側へ張り出されており、この張り出された部分をホルダインナ部４２Ｃとしている。ホルダインナ部４２Ｃには、後述するスライダ４４及びカムフォロア４６をガイドするための複数（本実施の形態では、３箇所）のカム溝４２Ｄが形成されており、カム溝４２Ｄは、ホルダ４２の軸方向に延在されてホルダインナ部４２Ｃを貫通している。また、カム溝４２Ｄは、ホルダ４２の周方向において等間隔（１２０度毎）に配置されている。そして、ホルダ４２の周方向において、ロータ３４のガイド溝３４Ａと、カム溝４２Ｄとが、一致した位置に配置されている。
【００３６】
図７（Ａ）に示されるように、ホルダインナ部４２Ｃにおける周方向に隣り合うカム溝４２Ｄの間の部分を、ホルダ側カム部４２Ｅとしている。このホルダ側カム部４２Ｅの車幅方向内側（押込方向側）の端面には、「第１カム面」としてのホルダ側カム面４２Ｆが形成されている。すなわち、ホルダ側カム面４２Ｆが、ホルダ４２の軸方向中間部に形成されるとともに、周方向に隣り合うカム溝４２Ｄの内側面を連結している。このホルダ側カム面４２Ｆは、「傾斜カム面」としての第１傾斜カム面４２Ｆ１と、第１傾斜カム面４２Ｆ１に対してホルダ４２の周方向一方側に配置された「傾斜カム面」としての第２傾斜カム面４２Ｆ２と、第１傾斜カム面４２Ｆ１及び第２傾斜カム面４２Ｆ２を接続する保持カム面４２Ｆ３と、を含んで構成されている。具体的には、第１傾斜カム面４２Ｆ１は、ホルダ４２の径方向から見て、カム溝４２Ｄの車幅方向内側端を起点として当該起点からホルダ４２の周方向一方側へ向かうに従い突出方向（車幅方向外側）へ傾斜している。保持カム面４２Ｆ３は、ホルダ４２の径方向から見て、第１傾斜カム面４２Ｆ１の終端からホルダ４２の押込方向（車幅方向内側）へ延出している。すなわち、保持カム面４２Ｆ３はホルダ４２の周方向に直交する面に沿って形成されている。第２傾斜カム面４２Ｆ２は、ホルダ４２の径方向から見て、保持カム面４２Ｆ３の車幅方向内側端（終端）からホルダ４２の周方向一方側へ向かうに従い突出方向（車幅方向外側）へ傾斜して、カム溝４２Ｄの端部に接続されている。これにより、ホルダ側カム面４２Ｆが、ホルダ４２の径方向から見て、ジグザグ状に形成されている。
【００３７】
また、図７（Ｂ）に示されるように、第１傾斜カム面４２Ｆ１及び第２傾斜カム面４２Ｆ２は、ホルダ４２の周方向から見た断面視で、ホルダ４２の径方向内側へ向かうに従い車幅方向内側へ傾斜されている。すなわち、第１傾斜カム面４２Ｆ１及び第２傾斜カム面４２Ｆ２では、径方向内側の内端部４２Ｊが径方向外側の外端部４２Ｋに対して、押込方向（車幅方向内側）に配置されている。そして、ホルダ４２の周方向から見た第１傾斜カム面４２Ｆ１及び第２傾斜カム面４２Ｆ２の傾斜角度θ（ホルダ４２の軸方向に対して直交する面に対する第１傾斜カム面４２Ｆ１及び第２傾斜カム面４２Ｆ２の傾斜角度）が略５度に設定されている。
【００３８】
図５及び図６に示されるように、第１ホルダ部４２Ａの開口端部には、ホルダ側カム面４２Ｆに対して車幅方向外側の位置において、ホルダ４２の周方向に延在された阻止溝４２Ｇが貫通形成されている。さらに、ホルダインナ部４２Ｃの開口端部の内周部には、ホルダ４２の軸方向に延在された挿入溝４２Ｈが形成されている。挿入溝４２Ｈは、ホルダ４２の開口側に開放されており、ホルダ４２の軸方向から見て、ロータ３４の規制溝３４Ｂと一致した位置に配置されている。また、図３（Ａ）に示されるように、挿入溝４２Ｈは、その中間部において阻止溝４２Ｇの一端部と交差して、阻止溝４２Ｇと連通されている。すなわち、阻止溝４２Ｇは、挿入溝４２Ｈの中間部からホルダ４２の周方向他方側へ延出されている。
【００３９】
そして、プッシュロッド２０が押込位置にあり、かつ、アンロック姿勢の状態では、プッシュロッド２０の基端部（車幅方向内側の端部）が、ホルダ４２の開口端部内に挿入されている。具体的には、プッシュロッド２０の規制突起２０Ｄが、挿入溝４２Ｈの開口部から挿入されて、阻止溝４２Ｇの一端部（挿入溝４２Ｈの中間部）に配置されている。これにより、この状態では、プッシュロッド２０の軸方向の移動が挿入溝４２Ｈによって許容されるようになっている。
【００４０】
また、規制突起２０Ｄは、ホルダ４２の周方向に相対移動可能に、軸方向に係合可能に、阻止溝４２Ｇ内に挿入可能に構成されている。そして、プッシュロッド２０のロック姿勢では、プッシュロッド２０及びロータ３４がアンロック姿勢から軸回り他方側へ回転して、規制突起２０Ｄが阻止溝４２Ｇの他端部に配置されるようになっている（図１５（Ｂ）参照）。これにより、ホルダ４２の軸方向において、規制突起２０Ｄが阻止溝４２Ｇの他端部に係合して、ロック姿勢におけるプッシュロッド２０の軸方向の移動がホルダ４２（阻止溝４２Ｇ）によって阻止される構成になっている。そして、阻止溝４２Ｇにおける他端部を阻止部４２Ｇ１としている。
【００４１】
また、挿入溝４２Ｈにおける底部（阻止溝４２Ｇよりも押込方向側の部分）は、押込許容部４２Ｈ１とされており、押込許容部４２Ｈ１は、ホルダ４２の径方向から見て、阻止溝４２Ｇ側へ開放された凹状に形成されている。そして、プッシュロッド２０のアンロック姿勢において、プッシュロッド２０が押込方向へ移動すると、規制突起２０Ｄが押込許容部４２Ｈ１内に収容されて、プッシュロッド２０の押込位置から押込方向への押込み（移動）が許容される構成になっている。一方、規制突起２０Ｄが押込許容部４２Ｈ１の底面に当接することで、プッシュロッド２０の押込方向への押込み（移動）が制限される構成になっている。また、押込許容部４２Ｈ１の阻止溝４２Ｇとの境界部分には、一対の傾斜部４２Ｈ２が形成されており、一対の傾斜部４２Ｈ２は、ホルダ４２の径方向から見て、押込方向へ向かうに従い互いに接近する方向に傾斜されている。
【００４２】
＜スライダ４４について＞
図２、図３（Ｂ）、図８、及び図９に示されるように、スライダ４４は、車幅方向を軸方向とした略円筒状に形成されている。また、スライダ４４は、プッシュロッド２０と同軸上に配置されると共に、ホルダ４２の第１ホルダ部４２Ａ（開口端部）内に収容されている。具体的には、スライダ４４の軸方向一方側（突出方向側）の端部が、プッシュロッド２０の基端部に隣接して配置されている。
【００４３】
スライダ４４の外周部には、前述したガイド溝３４Ａ及びカム溝４２Ｄに対応する３箇所のスライダ用ガイド突起４４Ａが一体に形成されている。そして、スライダ用ガイド突起４４Ａが、ホルダ４２のカム溝４２Ｄ内に、軸方向に相対移動可能に且つ周方向に相対移動不能に挿入されている。これにより、スライダ４４がホルダ４２に対して、軸方向に相対移動可能に連結されている。そして、プッシュロッド２０の突出位置では、スライダ用ガイド突起４４Ａが、ホルダ４２のカム溝４２Ｄとロータ３４のガイド溝３４Ａとの間に跨って配置されて、ロータ３４（すなわち、プッシュロッド２０）の回転をスライダ４４及びホルダ４２によって規制する構成になっている（図９参照）。
【００４４】
スライダ４４の軸方向他方側（押込方向側）の端部には、スライダ側カム部４４Ｂが形成されている。このスライダ側カム部４４Ｂは、スライダ４４の端面を構成する複数（本実施の形態では６箇所）の「第２カム面」としてのスライダ側カム面４４Ｃを有している。スライダ側カム面４４Ｃは、スライダ４４の周方向に所定間隔（６０度毎）に並んで配置されている。また、スライダ側カム面４４Ｃは、スライダ４４の径方向から見て、押込方向側へ突出した略Ｖ字形状に形成されている。具体的には、スライダ側カム面４４Ｃは、第１傾斜面４４Ｃ１と、第１傾斜面４４Ｃ１に対してスライダ４４の周方向一方側に配置された第２傾斜面４４Ｃ２と、を含んで構成されている。また、スライダ４４がホルダ４２に収容された状態では、ホルダ４２の径方向から見て、スライダ側カム面４４Ｃの頂部が、ホルダ４２のカム溝４２Ｄの幅方向の略中央部に配置されている。
【００４５】
＜カムフォロア４６について＞
図２、図９、及び図１０に示されるように、カムフォロア４６は、全体として車幅方向を軸方向とした略有底円筒状に形成されて、軸方向一方側（突出方向側）へ開放されている。カムフォロア４６は、プッシュロッド２０と同軸上に配置されて、ホルダ４２の内部に相対移動可能に収容されている。また、カムフォロア４６がホルダ４２内に収容された状態では、カムフォロア４６の軸方向一方側の部分がスライダ４４の内部に相対移動可能に挿入されており、カムフォロア４６の軸方向一端部がプッシュロッド２０の内部に相対回転可能に挿入されるようになっている。これにより、カムフォロア４６がプッシュロッド２０に相対回転可能に連結されている。
【００４６】
カムフォロア４６の軸方向中間部における外周部には、前述したホルダ４２のカム溝４２Ｄに対応する３箇所の摺動子４６Ａが一体に形成されており、摺動子４６Ａは、カムフォロア４６から径方向外側へ突出されている。そして、摺動子４６Ａの先端部が、カム溝４２Ｄの内部に、軸方向に相対移動可能に且つ周方向に相対移動不能に、挿入可能に構成されている。摺動子４６Ａの突出方向側の面には、摺動面４６Ａ１が形成されており、摺動面４６Ａ１は、カムフォロア４６の周方向一方側へ向かうに従い突出方向へ傾斜されている。
【００４７】
そして、カムフォロア４６の軸方向において、摺動面４６Ａ１が、前述したスライダ４４のスライダ側カム面４４Ｃと対向して配置されると共に、ホルダ４２の第１傾斜カム面４２Ｆ１に当接している。さらに、摺動子４６Ａが、ホルダ４２の保持カム面４２Ｆ３に対して周方向他方側に隣接して配置されて、当該保持カム面４２Ｆ３に当接されている。これにより、プッシュロッド２０の押込位置では、カムフォロア４６の突出方向側への移動及び周方向一方側への回転が制限されている。また、前述したように、第１傾斜カム面４２Ｆ１及び第２傾斜カム面４２Ｆ２では、径方向内側の内端部４２Ｊが径方向外側の外端部４２Ｋに対して、押込方向（車幅方向内側）に配置されている。このため、摺動面４６Ａ１が第１傾斜カム面４２Ｆ１及び第２傾斜カム面４２Ｆ２に当接するときには、摺動面４６Ａ１が内端部４２Ｊに当接する設定になっている（図７（Ｂ）参照）。
【００４８】
また、カムフォロア４６の軸方向中間部には、径方向外側へ張り出されたフランジ部４６Ｂが形成されている。このフランジ部４６Ｂは、周方向に隣り合う摺動子４６Ａを、その先端部を除いて、連結している。また、摺動子４６Ａ及びフランジ部４６Ｂの押込方向側の端面は、面一に形成されており、摺動子４６Ａ及びフランジ部４６Ｂが、本願の「スプリング受け部」に対応している。そして、カムフォロア４６の右端からワッシャ４８が挿入されて、ワッシャ４８が、フランジ部４６Ｂの車幅方向内側に隣接して配置されている。
【００４９】
＜スプリング５０について＞
図２、図３（Ｂ）、及び図９に示されるように、スプリング５０は、圧縮コイルスプリングとして構成されて、カムフォロア４６の車幅方向内側の端部に装着されている。このスプリング５０の一端部（車幅方向外側端部）は、ワッシャ４８を介してカムフォロア４６の摺動子４６Ａ及びフランジ部４６Ｂに係止され、スプリング５０の他端部（車幅方向内側の端部）が、ホルダ４２の底壁に係止されており、スプリング５０が自然状態から圧縮変形している。これにより、プッシュロッド２０が、カムフォロア４６及びスライダ４４を介してスプリング５０の付勢力によって車幅方向外側（突出方向）に付勢されている。
【００５０】
（エマージェンシー機構６０について）
図２、図１１、及び図１２に示されるように、エマージェンシー機構６０は、エマージェンシーケーブル６４と、エマージェンシーケーブル６４をケース１２に配策するためのケーブル配策機構部６２と、を含んで構成されている。
【００５１】
ケーブル配策機構部６２は、ハウジング１４に形成された作動溝１４Ｆを有している。この作動溝１４Ｆは、第１収容部１４Ａの底壁１４Ａ１に貫通形成され、ロータ３４の径方向外側に配置されると共に、プッシュロッド２０の周方向に延在されている。この作動溝１４Ｆには、ロータ３４の連結突起３４Ｅが相対移動可能に挿入されている。具体的には、プッシュロッド２０のアンロック姿勢において、連結突起３４Ｅが作動溝１４Ｆの一端部に配置されており、プッシュロッド２０のロック姿勢において、連結突起３４Ｅが作動溝１４Ｆの他端部に配置されるようになっている。
【００５２】
また、ケーブル配策機構部６２は、エマージェンシーケーブル６４を保持するための一対の保持爪１４Ｇを有している。保持爪１４Ｇは、ハウジング１４における作動溝１４Ｆの幅方向両側の縁部に一体に形成されている。この保持爪１４Ｇは、作動溝１４Ｆの長手方向から見て、対称に構成されている。具体的には、保持爪１４Ｇが、作動溝１４Ｆの長手方向から見て、略逆Ｌ字形状に形成されて、ハウジング１４からハウジング１４の外部へ突出されており、保持爪１４Ｇの先端部が、作動溝１４Ｆの幅方向内側へ突出されている。また、一対の保持爪１４Ｇは作動溝１４Ｆの長手方向に離間して配置されている。
【００５３】
また、ハウジング１４には、作動溝１４Ｆに対してプッシュロッド２０の周方向他方側において、ケーブル挿入孔１４Ｈが形成されており、ケーブル挿入孔１４Ｈによってケース１２の内部と外部とが連通されている。一方、カバー１６には、ロータ３４の径方向外側において、後側へ突出されたケーブル収容部１６Ａが形成されている。ケーブル収容部１６Ａは、前側へ開放された凹状に形成されると共に、プッシュロッド２０の軸方向から見て、ロータ３４と同心円状を成す略半円弧状に湾曲されている。
【００５４】
また、ケーブル配策機構部６２は、エマージェンシーケーブル６４をガイドするためのケーブルガイド１４Ｊを有しており、ケーブルガイド１４Ｊは、ハウジング１４の下部に形成されている。ケーブルガイド１４Ｊは、車幅方向外側へ開放された溝状に形成されており、車幅方向外側から見て、前斜め下方を凸とする略四分円弧状に湾曲している。
【００５５】
エマージェンシーケーブル６４は、樹脂製とされると共に、可撓性を有する略長尺状に形成されている。エマージェンシーケーブル６４は、ケーブル本体６４Ａと、エマージェンシーケーブル６４の先端側の部分を構成するケーブルエンド部６４Ｂと、を含んで構成されている。ケーブル本体６４Ａは、断面円形を成すケーブル状に形成されており、ケーブルエンド部６４Ｂは、長尺帯状に形成されている。そして、ケーブルエンド部６４Ｂの先端部が、ハウジング１４のケーブル挿入孔１４Ｈからケース１２の内部に挿入されて、ケーブル収容部１６Ａの底壁に沿って湾曲して配策されている。
【００５６】
また、ケーブルエンド部６４Ｂの長手方向中間部には、幅方向両側の縁部において、前述した保持爪１４Ｇに対応する切欠部６４Ｃが形成されており、切欠部６４Ｃは、ケーブルエンド部６４Ｂの板厚方向から見て、ケーブルエンド部６４Ｂの幅方向外側へ開放された略台形状に形成されている。そして、切欠部６４Ｃを保持爪１４Ｇに対応した位置に配置して、ケーブルエンド部６４Ｂを先端側へずらすことで、ケーブルエンド部６４Ｂが保持爪１４Ｇとハウジング１４との間に配置されて、保持爪１４Ｇによって保持されている。これにより、ケーブルエンド部６４Ｂがハウジング１４の底壁１４Ａ１に沿って（具体的には、作動溝１４Ｆに沿って）円弧状に湾曲された状態で配策されている。
【００５７】
また、ケーブルエンド部６４Ｂから基端側へ延出されたケーブル本体６４Ａは、ケーブルガイド１４Ｊ内に配策されて、後側へ屈曲されている。そして、図示は省略するが、エマージェンシーケーブル６４の基端部を構成する把持部６４Ｄが、車両のトランクルームと車両のボディーとの間に操作可能に配置されている。
【００５８】
また、ケーブルエンド部６４Ｂの長手方向中間部の内側面には、ケーブル突起６４Ｅが一体に形成されており、ケーブル突起６４Ｅは、ケーブルエンド部６４Ｂからケース１２側へ突出されて作動溝１４Ｆ内に配置されている。そして、図１１に示されるように、エマージェンシーケーブル６４の非作動位置及びプッシュロッド２０のロック姿勢では、ロータ３４の連結突起３４Ｅが、ケーブル突起６４Ｅに対してロータ３４の周方向一方側（図１１の矢印Ａ方向側）に隣接して配置されている。
【００５９】
さらに、ケーブルエンド部６４Ｂの長手方向中間部の外側面には、取手部６４Ｆが一体に形成されており、取手部６４Ｆは、ケーブルエンド部６４Ｂから外側へ突出されている。この取手部６４Ｆは、エマージェンシーケーブル６４をケース１２に配策するときの作業用の取手として構成されている。
【００６０】
（作用及び効果について）
次に、リッド開閉装置１０によるフューエルリッド７０の開閉動作、及び緊急時におけるリッド開閉装置１０の動作を説明しつつ、本実施の形態の作用及び効果について説明する。
【００６１】
（リッド開閉装置１０におけるプッシュロッド２０のロック姿勢とアンロック姿勢との間の遷移について）
図１３（Ｂ）に示される状態が、リッド開閉装置１０におけるプッシュロッド２０のロック姿勢になっている。この姿勢では、プッシュロッド２０の先端部がフューエルリッド７０の係止孔７２Ａ内に挿入されて、プッシュロッド２０の係止部２０Ａが係止孔７２Ａの周縁部に係合している。これにより、フューエルリッド７０が、車両の給油口を閉じた状態に係止されている。この状態では、図１５（Ｂ）に示されるように、プッシュロッド２０の規制突起２０Ｄが、ホルダ４２における阻止溝４２Ｇの阻止部４２Ｇ１に配置されている。このため、プッシュロッド２０の軸方向一方側及び他方側への移動が阻止されて、フューエルリッド７０に対する押込操作及び引張操作が制限されている。すなわち、フューエルリッド７０を開くことができない状態になっている。
【００６２】
この状態で、車両のサイドドアをロックするロック装置のロック状態が解除されると、リッド開閉装置１０が作動して、プッシュロッド２０がロック姿勢からアンロック姿勢へ遷移する。具体的には、制御部８０によってモータ３２が駆動して、ロータ３４が周方向一方側（図１３（Ｂ）の矢印Ａ方向側）へ回転する。このとき、プッシュロッド２０はロータ３４と相対回転不能に連結されているため、プッシュロッド２０が、ロータ３４と一体に周方向一方側へ回転して、ロック姿勢からアンロック姿勢に遷移する（図１３（Ａ）参照）。これにより、プッシュロッド２０の係止部２０Ａと、フューエルリッド７０の係止孔７２Ａの周縁部と、の係合状態が解除される。その結果、フューエルリッド７０のプッシュロッド２０に対する突出方向への相対移動が許可された状態になると共に、プッシュロッド２０の軸方向の移動が許可された状態になる。
【００６３】
一方、プッシュロッド２０が、アンロック姿勢に遷移した状態において、車両のサイドドアにおけるロック装置がロック状態になると、リッド開閉装置１０が作動して、プッシュロッド２０がアンロック姿勢からロック姿勢へ遷移する。具体的には、制御部８０によってモータ３２が駆動して、ロータ３４が周方向他方側（図１３（Ａ）の矢印Ｂ方向側）へ回転する。これにより、プッシュロッド２０が、ロータ３４と一体に周方向他方側へ回転して、アンロック姿勢からロック姿勢に遷移する。このため、プッシュロッド２０の係止部２０Ａと、フューエルリッド７０の係止孔７２Ａの周縁部と、が係合状態なる。その結果、フューエルリッド７０が、車両の給油口を閉じた状態に係止される。また、このときには、上述のように、プッシュロッド２０の規制突起２０Ｄが、ホルダ４２における阻止溝４２Ｇの阻止部４２Ｇ１に配置されて、プッシュロッド２０の軸方向の移動が制限される。これにより、フューエルリッド７０に対する押込み操作も制限される。
【００６４】
なお、プッシュロッド２０がロック姿勢とアンロック姿勢との間を遷移するときには、ロータ３４の連結突起３４Ｅが作動溝１４Ｆ内を移動する。ここで、図１１に示されるように、プッシュロッド２０のロック姿勢では、エマージェンシーケーブル６４のケーブル突起６４Ｅが、ロータ３４の連結突起３４Ｅに対してロータ３４の周方向他方側（図１１の矢印Ｂ方向側）に配置されている。このため、プッシュロッド２０がロック姿勢とアンロック姿勢との間を遷移するときには、連結突起３４Ｅがケーブル突起６４Ｅに当接することなく、ロータ３４が回転する。よって、エマージェンシーケーブル６４のケーブル突起６４Ｅによってロータ３４の回転を阻害することなく、プッシュロッド２０がロック姿勢とアンロック姿勢との間を遷移する。
【００６５】
（プッシュロッド２０の押込位置から突出位置への動作について）
図１５（Ａ）に示されるように、プッシュロッド２０のアンロック姿勢では、プッシュロッド２０の規制突起２０Ｄが、ホルダ４２の阻止溝４２Ｇの一端部（すなわち、ホルダ４２の挿入溝４２Ｈの中間部）内に配置されている。これにより、プッシュロッド２０の軸方向の移動が許可された状態になっている。また、この状態では、ロータ３４の軸方向から見て、ロータ３４のガイド溝３４Ａが、ホルダ４２のカム溝４２Ｄと一致した位置に配置される。
【００６６】
この状態で、フューエルリッド７０が車幅方向内側へ押込まれると、フューエルリッド７０を介してプッシュロッド２０が押込方向へ押込まれる。これにより、プッシュプッシュ機構４０が作動して、プッシュロッド２０が押込位置から突出位置に配置されて、フューエルリッド７０が給油口を開く状態になる。
【００６７】
以下、図１６を用いて、プッシュプッシュ機構４０の作動について説明する。なお、図１６では、プッシュプッシュ機構４０のホルダ側カム面４２Ｆ及びスライダ側カム面４４Ｃをホルダ４２（スライダ４４）の径方向外側から見た展開図として記載している。また、図１６では、矢印ａを押込方向、矢印ｃを突出方向、矢印ｂをホルダ４２（スライダ４４）の周方向一方側として示している。
【００６８】
図１６（Ａ）に示されるように、プッシュロッド２０のアンロック姿勢では、プッシュプッシュ機構４０におけるカムフォロア４６の摺動子４６Ａが、ホルダ４２のホルダ側カム面４２Ｆにおける第１傾斜カム面４２Ｆ１及び保持カム面４２Ｆ３に当接している。このため、カムフォロア４６の突出方向及び周方向一方側の移動が、ホルダ４２によって制限されている。よって、プッシュロッド２０、スライダ４４、及びカムフォロア４６が、押込位置に維持されている。
【００６９】
この状態で、プッシュロッド２０がスプリング５０の付勢力に抗して押込方向へ押込まれると、プッシュロッド２０の規制突起２０Ｄがホルダ４２の挿入溝４２Ｈにおける押込許容部４２Ｈ１内に挿入する。
【００７０】
このとき、スライダ４４がプッシュロッド２０と共に、ホルダ４２に対して押込方向へ相対変位する。これにより、カムフォロア４６の摺動面４６Ａ１がスライダ４４のスライダ側カム面４４Ｃ（第２傾斜面４４Ｃ２）によって押圧されて、押込方向へ相対変位する。すなわち、カムフォロア４６の摺動面４６Ａ１がホルダ４２のホルダ側カム面４２Ｆ（第１傾斜カム面４２Ｆ１）に当接する状態が解除される。なお、この状態では、カムフォロア４６の摺動子４６Ａがホルダ４２の保持カム面４２Ｆ３に当接している状態が維持されている。
【００７１】
ここで、スライダ４４のスライダ側カム面４４Ｃ（第２傾斜面４４Ｃ２）及びカムフォロア４６の摺動面４６Ａ１は、スライダ４４の径方向から見て、周方向一方側へ向かうに従い突出方向へ傾斜している。このため、スライダ４４のスライダ側カム面４４Ｃ（第２傾斜面４４Ｃ２）がカムフォロア４６の摺動面４６Ａ１を押込方向へ押圧することで、スライダ４４からカムフォロア４６に周方向一方側への回転力が作用する。しかしながら、上述のように、カムフォロア４６の摺動子４６Ａがホルダ４２の保持カム面４２Ｆ３に当接している状態が維持されているため、カムフォロア４６の周方向一方側への回転が制限された状態で、カムフォロア４６が押込方向へ変位する。
【００７２】
そして、プッシュロッド２０の規制突起２０Ｄが押込許容部４２Ｈ１の底部に当接すると、プッシュロッド２０の押込方向への押込みが制限される。このときには、カムフォロア４６の摺動子４６Ａとホルダ４２の保持カム面４２Ｆ３との当接状態が解除される。これにより、スライダ４４からカムフォロア４６に作用する回転力によって、摺動子４６Ａがスライダ側カム面４４Ｃの第２傾斜面４４Ｃ２上を摺動しながら、カムフォロア４６がスライダ４４に対して周方向一方側へ相対回転する（図１６（Ｂ）参照）。
【００７３】
そして、この状態でフューエルリッド７０に対する押込操作を終了すると、プッシュロッド２０、スライダ４４、及びカムフォロア４６が、スプリング５０の付勢力によって突出方向へ押出される。すなわち、プッシュロッド２０、スライダ４４、及びカムフォロア４６が、反転して、突出方向へ変位する。このとき、カムフォロア４６の摺動面４６Ａ１がホルダ４２の第２傾斜カム面４２Ｆ２に当接する。
【００７４】
ここで、ホルダ４２の第２傾斜カム面４２Ｆ２及びカムフォロア４６の摺動面４６Ａ１は、スライダ４４の径方向から見て、周方向一方側へ向かうに従い突出方向へ傾斜している。このため、カムフォロア４６の摺動面４６Ａ１がホルダ４２の第２傾斜カム面４２Ｆ２に当接すると、第２傾斜カム面４２Ｆ２から摺動面４６Ａ１に周方向一方側への回転力が作用する。よって、この状態でカムフォロア４６が突出方向へさらに変位すると、カムフォロア４６の摺動面４６Ａ１が第２傾斜カム面４２Ｆ２上を摺動しながら、カムフォロア４６が周方向一方側へさらに回転する。そして、図１６（Ｃ）及び（Ｄ）に示されるように、カムフォロア４６の摺動子４６Ａがホルダ４２のカム溝４２Ｄに到達すると、摺動子４６Ａがカム溝４２Ｄ内を突出方向へ移動する。
【００７５】
なお、このときには、スライダ４４及びプッシュロッド２０もカムフォロア４６によって押圧されて突出方向へ移動する。これにより、プッシュロッド２０が、押込位置から突出位置へ移動される。具体的には、プッシュロッド２０の規制突起２０Ｄが、ホルダ４２の挿入溝４２Ｈ内を突出方向へ移動すると共に、挿入溝４２Ｈから離脱して、ロータ３４の規制溝３４Ｂ内に挿入する。そして、規制突起２０Ｄがロータ３４の規制溝３４Ｂの底部に当接することで、プッシュロッド２０の突出方向への移動が制限されて、突出位置に配置される。また、このときには、スライダ４４のスライダ用ガイド突起４４Ａが、ロータ３４のガイド溝３４Ａ及びホルダ４２のカム溝４２Ｄを跨るように配置されて、ロータ３４（すなわち、プッシュロッド２０）のホルダ４２に対する相対回転が制限される（図９参照）。これにより、フューエルリッド７０がプッシュロッド２０によって車幅方向外側（車幅方向外側）へ押出されて、プッシュロッド２０の係止部２０Ａがフューエルリッド７０の係止孔７２Ａから離脱する。その結果、フューエルリッド７０が給油孔を開いた状態になる。
【００７６】
（プッシュロッド２０の突出位置から押込位置への動作について）
フューエルリッド７０が給油口を開いている状態で、フューエルリッド７０を閉じると、プッシュロッド２０がスプリング５０の付勢力に抗して突出位置から押込方向へ押込まれる。なお、この状態では、フューエルリッド７０の係止孔７２Ａ内に、プッシュロッド２０の係止部２０Ａが挿入した状態で、プッシュロッド２０が押込方向へ押込まれる。これにより、プッシュプッシュ機構４０が作動して、プッシュロッド２０が押込位置に維持される。以下、このときのプッシュプッシュ機構４０について説明する。
【００７７】
プッシュロッド２０が突出位置から押込方向へ移動すると、プッシュロッド２０の規制突起２０Ｄが、ロータ３４の規制溝３４Ｂから離脱して、ホルダ４２の挿入溝４２Ｈ内に挿入される。そして、規制突起２０Ｄが挿入溝４２Ｈの押込許容部４２Ｈ１内に配置される。
【００７８】
また、プッシュロッド２０が押込方向へ移動するときには、スライダ４４及びカムフォロア４６が、プッシュロッド２０に押圧されて、押込方向へ移動する。具体的には、スライダ４４のスライダ用ガイド突起４４Ａ及びカムフォロア４６の摺動子４６Ａが、ホルダ４２のカム溝４２Ｄ内を押込方向へ移動する。また、このときには、カムフォロア４６の摺動面４６Ａ１がスライダ４４のスライダ側カム面４４Ｃにおける第２傾斜面４４Ｃ２によって押圧されて、カムフォロア４６が押込方向へ変位する。
【００７９】
そして、プッシュロッド２０の規制突起２０Ｄが押込許容部４２Ｈ１の底部に到達するときには、図１６（Ｅ）に示されるように、カムフォロア４６の摺動子４６Ａがホルダ４２のカム溝４２Ｄから押込方向へ離脱する。このため、摺動子４６Ａがスライダ４４のスライダ側カム面４４Ｃの第２傾斜面４４Ｃ２上を摺動しながら、カムフォロア４６がスライダ４４に対して周方向一方側へ相対回転する。
【００８０】
そして、この状態でフューエルリッド７０に対する押込操作を終了すると、プッシュロッド２０、スライダ４４、及びカムフォロア４６が、スプリング５０の付勢力によって突出方向へ押出される。すなわち、プッシュロッド２０、スライダ４４、及びカムフォロア４６が、反転して、突出方向へ変位する。このとき、カムフォロア４６の摺動面４６Ａ１がホルダ４２の第１傾斜カム面４２Ｆ１に当接する。そして、プッシュロッド２０が押込位置へ到達するときには、図１６（Ｆ）に示されるように、カムフォロア４６の摺動面４６Ａ１がホルダ４２の第１傾斜カム面４２Ｆ１上を摺動しながら、スライダ４４に対して周方向一方側へさらに回転する。また、このときには、カムフォロア４６の摺動子４６Ａがホルダ４２の保持カム面４２Ｆ３に当接して、カムフォロア４６の周方向一方側への回転が停止する。これにより、カムフォロア４６の軸方向一方側及び周方向一方側への移動が阻止されて、プッシュロッド２０が押込位置に維持される。
【００８１】
（緊急時におけるリッド開閉装置１０の動作について）
プッシュロッド２０がロック姿勢に遷移している状態で、リッド開閉装置１０のモータ３２が仮に故障したときや、車両のバッテリーの充電が不十分な状態のとき等の緊急時では、制御部８０よってモータ３２が駆動しない。すなわち、このような緊急時では、フューエルリッド７０を開くことができない状態になる。このため、このような場合には、使用者によってエマージェンシーケーブル６４を操作して、エマージェンシー機構６０を作動させることで、プッシュロッド２０をロック姿勢からアンロック姿勢に遷移させる。これにより、リッド開閉装置１０のプッシュロッド２０に対する押込操作が可能な状態になり、緊急時においてもフューエルリッド７０が開く状態になる。以下、エマージェンシー機構６０の動作について説明する。
【００８２】
図１１に示されるように、エマージェンシー機構６０を作動させるときには、使用者がエマージェンシーケーブル６４の把持部６４Ｄを把持して、エマージェンシーケーブル６４を後側へ引っ張る。これにより、エマージェンシーケーブル６４のケーブルエンド部６４Ｂの先端部がハウジング１４のケーブル挿入孔１４Ｈからケース１２の外部へ引出されて、ケーブルエンド部６４Ｂがハウジング１４に対して相対移動する。
【００８３】
また、ケーブルエンド部６４Ｂは、ハウジング１４の保持爪１４Ｇによって保持されて、作動溝１４Ｆに沿って配策されている。このため、ケーブルエンド部６４Ｂがハウジング１４に対して相対移動するときには、ケーブルエンド部６４Ｂが作動溝１４Ｆの長手方向に沿って変位する。これにより、ケーブルエンド部６４Ｂのケーブル突起６４Ｅが、ロータ３４の連結突起３４Ｅに当接して、連結突起３４Ｅをロータ３４の周方向一方側（図１１の矢印Ａ方向側）へ押圧する。その結果、ロータ３４及びプッシュロッド２０が、ロック姿勢から周方向一方側へ回転してアンロック姿勢に遷移する。したがって、プッシュロッド２０の軸方向の移動が許可された状態（プッシュプッシュ機構４０の作動が許可された状態）になる。よって、この状態で、使用者がフューエルリッド７０を押込操作することで、プッシュプッシュ機構４０が作動して、プッシュロッド２０が押込位置から突出位置へ移動する。以上により、緊急時において、フューエルリッド７０を開くことができる。
【００８４】
ここで、ホルダ４２の第１傾斜カム面４２Ｆ１及び第２傾斜カム面４２Ｆ２は、ホルダ４２の周方向から見た断面視で、ホルダ４２の径方向内側へ向かうに従い押込方向（車幅方向内側）へ傾斜されている。すなわち、第１傾斜カム面４２Ｆ１及び第２傾斜カム面４２Ｆ２では、径方向内側の内端部４２Ｊが径方向外側の外端部４２Ｋに対して、押込方向（車幅方向内側）に配置されている。このため、カムフォロア４６の摺動面４６Ａ１が第１傾斜カム面４２Ｆ１（第２傾斜カム面４２Ｆ２）に当接するときには、摺動面４６Ａ１が、第１傾斜カム面４２Ｆ１（第２傾斜カム面４２Ｆ２）の内端部４２Ｊに当接する。これにより、摺動子４６Ａを第１傾斜カム面４２Ｆ１（第２傾斜カム面４２Ｆ２）に良好に摺動させて、カムフォロア４６を周方向一方側へ良好に回転させることができる。よって、プッシュプッシュ機構４０を良好に作動させることができる。以下、この点について説明する。
【００８５】
すなわち、第１傾斜カム面４２Ｆ１（第２傾斜カム面４２Ｆ２）では、外端部４２Ｋが、内端部４２Ｊに対してホルダ４２の径方向外側に配置されている。このため、ホルダ４２の周方向における、外端部４２Ｋの長さが、内端部４２Ｊの長さに対して長くなる。また、ホルダ４２の径方向から見た、第１傾斜カム面４２Ｆ１（第２傾斜カム面４２Ｆ２）の内端部４２Ｊ及び外端部４２Ｋのそれぞれの起点と終点とのホルダ４２の軸方向の距離（ピッチ）は一致している。このため、第１傾斜カム面４２Ｆ１（第２傾斜カム面４２Ｆ２）を展開すると、第１傾斜カム面４２Ｆ１（第２傾斜カム面４２Ｆ２）における内端部４２Ｊによって構成された部分の傾きが、第１傾斜カム面４２Ｆ１（第２傾斜カム面４２Ｆ２）における外端部４２Ｋによって構成された部分の傾きと比べて大きくなる。すなわち、螺旋構造（弦巻線）を用いて説明すると、螺旋構造においてピッチが同じ場合には、螺旋の径寸法が小さくなるに従い、螺旋の長さが短くなり、且つ螺旋の傾きも大きくなる。このことからも、第１傾斜カム面４２Ｆ１（第２傾斜カム面４２Ｆ２）において、内端部４２Ｊによって構成された部分の傾きが、外端部４２Ｋによって構成された部分の傾きと比べて大きくなる。
【００８６】
そして、上述のように、カムフォロア４６の摺動面４６Ａ１が第１傾斜カム面４２Ｆ１（第２傾斜カム面４２Ｆ２）に当接するときには、摺動面４６Ａ１が、第１傾斜カム面４２Ｆ１（第２傾斜カム面４２Ｆ２）において傾きの大きい内端部４２Ｊに当接する。これにより、摺動面４６Ａ１が外端部４２Ｋ上を摺動する場合と比べて、摺動子４６Ａに対する摺動性を向上することができる。したがって、摺動子４６Ａを第１傾斜カム面４２Ｆ１（第２傾斜カム面４２Ｆ２）に良好に摺動させて、カムフォロア４６を周方向一方側へ良好に回転させることができる。よって、プッシュプッシュ機構４０を良好に作動させることができる。
【００８７】
また、上述のように、カムフォロア４６の摺動面４６Ａ１が第１傾斜カム面４２Ｆ１（第２傾斜カム面４２Ｆ２）に当接するときには、摺動面４６Ａ１が、第１傾斜カム面４２Ｆ１（第２傾斜カム面４２Ｆ２）の内端部４２Ｊに当接する。すなわち、摺動面４６Ａ１が第１傾斜カム面４２Ｆ１（第２傾斜カム面４２Ｆ２）に面で当接するのではなく、線で当接するようになる。このため、摺動面４６Ａ１が第１傾斜カム面４２Ｆ１（第２傾斜カム面４２Ｆ２）上を摺動するときの摺動抵抗を低くすることができる。これにより、摺動子４６Ａを第１傾斜カム面４２Ｆ１（第２傾斜カム面４２Ｆ２）に一層良好に摺動させて、カムフォロア４６を周方向一方側へ一層良好に回転させることができる。
【００８８】
また、プッシュプッシュ機構４０では、カムフォロア４６がスプリング５０によって突出方向に付勢されており、カムフォロア４６を介してスプリング５０の付勢力をプッシュロッド２０に伝達する構成になっている。このため、例えば、プッシュロッド２０の内部にスプリング５０を配置する必要がなくなる。これにより、プッシュロッド２０及びホルダ４２を径方向に小さくすることができる。よって、ホルダ４２の周方向におけるホルダ側カム面４２Ｆ（第１傾斜カム面４２Ｆ１、第２傾斜カム面４２Ｆ２）の長さを一層短くすることができる。その結果、第１傾斜カム面４２Ｆ１（第２傾斜カム面４２Ｆ２）における内端部４２Ｊによって構成された部分の傾きをより一層大きくすることができる。したがって、プッシュプッシュ機構４０をより一層良好に作動させることができる。
【００８９】
また、プッシュプッシュ機構４０では、スプリング５０の一端部が、カムフォロア４６の摺動子４６Ａ及びフランジ部４６Ｂによって係止されて、カムフォロア４６によってスプリング５０の付勢力を受けている。また、押込位置では、カムフォロア４６の摺動子４６Ａがホルダ側カム面４２Ｆに係合して、カムフォロア４６が押込位置に保持されている。このため、プッシュロッド２０の押込位置では、スプリング５０の付勢力がプッシュロッド２０に作用しない。そして、この状態で、プッシュロッド２０が、電動駆動機構３０によってロック姿勢とアンロック姿勢との間を回転する。よって、電動駆動機構３０によってプッシュロッド２０を回転させるときのプッシュロッド２０の負荷を低くすることができる。これにより、電動駆動機構３０のモータ３２の小型化に寄与することができるとともに、コストダウンにも寄与することができる。
【００９０】
なお、本実施の形態では、ホルダ４２の第１傾斜カム面４２Ｆ１及び第２傾斜カム面４２Ｆ２が、ホルダ４２の周方向から見た断面視で、ホルダ４２の径方向内側へ向かうに従い車幅方向内側へ傾斜されて、径方向内側の内端部４２Ｊが径方向外側の外端部４２Ｋに対して、押込方向（車幅方向内側）に配置されているが、内端部４２Ｊを外端部４２Ｋに対して押込方向に配置する構成はこれに限らない。例えば、内端部４２Ｊを外端部４２Ｋに対して押込方向に配置するように、ホルダ４２の第１傾斜カム面４２Ｆ１及び第２傾斜カム面４２Ｆ２を、ホルダ４２の周方向から見た断面視で、段差状に形成してもよい。
【符号の説明】
【００９１】
１０          リッド開閉装置
１２          ケース
１４          ハウジング
１４Ａ        第１収容部
１４Ａ１      底壁
１４Ｂ        第２収容部
１４Ｃ        連通溝
１４Ｅ        連通孔
１４Ｆ        作動溝
１４Ｇ        保持爪
１４Ｈ        ケーブル挿入孔
１４Ｊ        ケーブルガイド
１６          カバー
１６Ａ        ケーブル収容部
１８          防水キャップ
２０          プッシュロッド
２０Ａ        係止部
２０Ｂ        くびれ部
２０Ｃ        ロッド用ガイド突起
２０Ｃ１      傾斜部
２０Ｄ        規制突起
２０Ｄ１      傾斜部
３０          電動駆動機構（駆動機構）
３２          モータ
３２Ａ        モータ本体
３２Ｂ        出力軸
３２Ｃ        ウォームギヤ
３４          ロータ
３４Ａ        ガイド溝
３４Ｂ        規制溝
３４Ｃ        ウォームホイール部
３４Ｅ        連結突起
３４Ｆ        当接片
３６          第１ストッパ
３８          第２ストッパ
４０          プッシュプッシュ機構
４２          ホルダ
４２Ａ        第１ホルダ部
４２Ｂ        第２ホルダ部
４２Ｃ        ホルダインナ部
４２Ｄ        カム溝
４２Ｅ        ホルダ側カム部
４２Ｆ        ホルダ側カム面（第１カム面）
４２Ｆ１      第１傾斜カム面（傾斜カム面）
４２Ｆ２      第２傾斜カム面（傾斜カム面）
４２Ｆ３      保持カム面
４２Ｇ        阻止溝
４２Ｇ１      阻止部
４２Ｈ        挿入溝
４２Ｈ１      押込許容部
４２Ｈ２      傾斜部
４２Ｊ        内端部（ホルダの径方向内側部分）
４２Ｋ        外端部（ホルダの径方向外側部分）
４４          スライダ
４４Ａ        スライダ用ガイド突起
４４Ｂ        スライダ側カム部
４４Ｃ        スライダ側カム面（第２カム面）
４４Ｃ１      第１傾斜面
４４Ｃ２      第２傾斜面
４６          カムフォロア
４６Ａ        摺動子（スプリング受け部）
４６Ａ１      摺動面
４６Ｂ        フランジ部（スプリング受け部）
４８          ワッシャ
５０          スプリング
６０          エマージェンシー機構
６２          ケーブル配策機構部
６４          エマージェンシーケーブル
６４Ａ        ケーブル本体
６４Ｂ        ケーブルエンド部
６４Ｃ        切欠部
６４Ｄ        把持部
６４Ｅ        ケーブル突起
６４Ｆ        取手部
７０          フューエルリッド
７２          インナパネル
７２Ａ        係止孔
８０          制御部
【図１】
2019108697.tif 000003
【図２】
2019108697.tif 000004
【図３】
2019108697.tif 000005
【図４】
2019108697.tif 000006
【図５】
2019108697.tif 000007
【図６】
2019108697.tif 000008
【図７】
2019108697.tif 000009
【図８】
2019108697.tif 000010
【図９】
2019108697.tif 000011
【図１０】
2019108697.tif 000012
【図１１】
2019108697.tif 000013
【図１２】
2019108697.tif 000014
【図１３】
2019108697.tif 000015
【図１４】
2019108697.tif 000016
【図１５】
2019108697.tif 000017
【図１６】
2019108697.tif 000018